(57)【要約】      （修正有）【課題】表示パネルに出力される複数の第１眼球視認画像線分と第２眼球視認画像線分の組合せによる３Ｄ画像の調整向けの調整装置ならびにその方法を提供する。【解決手段】３Ｄ画像を見るためのめがねには漏出問題があり、左右の眼球のグレイレベル明度を検出して変換曲線を求め、複数の事前記憶漏出値を合致させた後、正確な計算を使って適正な出力を発生させる。【選択図】図１
2008123504.tif 000002
【特許請求の範囲】
【請求項１】
iは２からＮまで変動する整数索引、jは１からＮまで変動する整数索引であって、i番目第１眼球視認画像線分および（i―１）番目第２眼球視認画像線分により発生される分散第１眼球視認漏出値のi番目集合を受取り、表示パネル向けのi番目調整第１眼球視認画像線分を発生させるか、あるいは、ｊ番目第２眼球視認画像線分およびｊ番目第１眼球視認画像線分により発生される分散第２眼球視認漏出値のｊ番目集合を受取り、表示パネル向けのｊ番目調整第２眼球視認画像線分を発生させるよう構成される調整モジュール、
ｊ番目調整第１眼球視認画像線分および複数の事前記憶第２眼球視認漏出値に基づく第２眼球視認漏出値のｊ番目集合の決定用のｊ番目調整第１眼球視認画像線分を受取るよう構成される第１決定モジュール；
第(i-1)番目調整第２眼球視認画像線分および複数の事前記憶第１眼球視認漏出値に基づく第１眼球視認漏出値のi番目集合の決定用第(i-1)番目調整第２眼球視認画像線分を受け入れるよう構成される第２決定モジュール；
第２眼球視認漏出値のｊ番目集合および第１眼球視認漏出値のi番目集合を交互に受取ると同時にバッファするよう構成される線分バッファ；
ならびに、線分バッファにバッファされる第２眼球視認漏出値のｊ番目集合を受取り、ｊ番目第２眼球視認画像線分に関連する分散第２眼球視認漏出値のｊ番目集合を発生させるか、あるいは、線分バッファにバッファされる第１眼球視認漏出値のi番目集合を受取り、i番目第１眼球視認画像線分に関連する分散第１眼球視認漏出値のi番目集合を発生させるよう構成される分散モジュール；
が含まれる、Ｎが１を越える整数であってＮ本の第１眼球視認画像線分とＮ本の第２眼球視認画像線分の組合せによって構成される、表示パネルに出力される３Ｄ画像調整用調整装置。
【請求項２】
さらに、ｊ番目変換済第１眼球視認画像線分がｊ番目調整第１眼球視認画像線分に取って代わると同時に表示パネルおよび第１決定モジュールに出力されるような、調整モジュールによって出力されるj番目調整第１眼球視認画像線分の受取りならびにｊ番目調整第１眼球視認画像線分の表示パネルの特性に基づくj番目変換済第１眼球視認画像線分への変換のための、調整モジュールおよび第１決定モジュール間で電気接続されると同時に表示パネルに電気接続される第１変換モジュール；
ならびに、(i-1)番目変換第２眼球視認画像線分が(i-1)番目調整第２眼球視認画像線分に取って代わると同時に表示パネルおよび第２決定モジュールに出力されるような、調整モジュールによって出力される(i-1)番目調整第２眼球視認画像線分の受取りおよび(i-1)番目調整第２眼球視認画像線分の表示パネルの特性に基づく(i-1)番目変換第２眼球視認画像線分への変換のための、調整モジュールおよび第２決定モジュール間で電気接続されると同時に表示パネルに電気接続される第２変換モジュール；
が含まれる、請求項１の調整装置。
【請求項３】
各事前記憶第２眼球視認漏出値が複数のグレイレベルの１つに対応し、第１決定モジュールがどのグレイレベルがj番目調整第１眼球視認画像線分の画素に合致するかを判定した後、第２眼球視認漏出値のj番目集合として合致グレイレベルに対応する事前記憶第２眼球視認漏出値の集合を決定する場合の請求項１の調整装置。
【請求項４】
第２眼球視認漏出値の各j番目集合のそれぞれがj番目第２眼球視認画像線分の画素の１つに充当されると同時に、j番目第２眼球視認画像線分の該充当画素および該充当画素に隣接する画素に重み付けされて分散されて分散第２眼球視認漏出値のj番目集合を発生させる請求項３の調整装置。
【請求項５】
各事前記憶済第１眼球視認漏出値が複数グレイレベルの１つに対応し、第２決定モジュールがどのグレイレベルが(i-1)番目調整第２眼球視認画像線分の画素と合致するかを判断すると同時に、第１眼球視認漏出値のi番目集合として前記合致グレイレベルに対応する事前記憶済第１眼球視認漏出値の集合を決定する請求項１の調整装置。
【請求項６】
第１眼球視認漏出値の各i番目集合がi番目第１眼球視認画像線分の画素の１つに充当されると同時に、i番目第１眼球視認画像線分の該充当画素および該充当画素に隣接する画素に重みを付けて分散されて分散第１眼球視認漏出値のi番目集合を発生させる請求項５の調整装置。
【請求項７】
iが２からＮまで変動する整数索引であるとともにjが１からＮまで変動する整数索引であって、表示パネル用のi番目調整第１眼球視認画像線分を発生させるための、i番目第１眼球視認画像線分および(i-1)番目第２眼球視認画像線分により生成された分散第１眼球視認漏出値のi番目集合の受取り、あるいは、表示パネル用のj番目調整第２眼球視認画像線分を発生させるための、j番目第２眼球視認画像線分およびj番目第２眼球視認画像線分により生成された分散第２眼球視認漏出値のj番目集合の受取り；
j番目調整第１眼球視認画像線分および複数の事前記憶第２眼球視認漏出値に基づき第２眼球視認漏出値のj番目集合を決定するためのj番目調整第１眼球視認画像線分の受取り；
j番目第２眼球視認画像線分に関連する分散第２眼球視認漏出値のj番目集合を発生させるための第２眼球視認漏出値のj番目集合の受取り；
(i-1)番目調整第２眼球視認画像線分および複数の事前記憶第１眼球視認漏出値に基づく第１眼球視認漏出値のi番目集合を決定する(i-1)番目調整第２眼球視認画像線分の受取り；
ならびに、i番目第１眼球視認画像線分に関連するi番目分散第１眼球視認漏出値を発生させるための第１眼球視認漏出値のi番目集合の受取り；
の段階が含まれる、Ｎが１を越える整数であって、３Ｄ画像がＮ本の第１眼球視認画像線分およびＮ本の第２眼球視認画像線分の組合せによって構成される表示パネルに出力される３Ｄ画像の調整方法。
【請求項８】
さらに、j番目変換第１眼球視認画像線分がj番目調整第１眼球視認画像線分に取って代わると同時に表示パネルに出力されるような、j番目隣接第１眼球視認画像線分の受取りおよび表示パネル特性に基づくj番目調整第１眼球視認画像線分のj番目変換第１眼球視認画像線分への変換；
ならびに、(i-1)番目変換第２眼球視認画像線分が(i-1)番目調整第２眼球視認画像線分に取って代わると同時に表示パネルに出力されるような、(i-1)番目調整第２眼球視認画像線分の受取りおよび表示パネルの特性に基づく(i-1)番目調整第２眼球視認画像線分の(i-1)番目変換第２眼球視認画像線分への変換；
の段階が含まれる、請求項７の方法。
【請求項９】
各事前記憶第２眼球視認漏出値が複数のグレイレベルの１つに対応し、j番目調整第１眼球視認画像線分の画素がどのグレイレベルに合致するか判定されると同時に、前記の合致グレイレベルに対応する事前記憶される第２眼球視認漏出値の集合が第２眼球視認漏出値のj番目集合として決定される請求項７の方法。
【請求項１０】
第２眼球視認漏出値の各j番目集合がj番目第２眼球視認画像線分の画素の１つに充当されると同時に、j番目第２眼球視認画像線分の該充当画素ならびに該充当画素に隣接する画素に重み付け分散されて分散第２眼球視認漏出値のj番目集合を発生させる請求項９の方法。
【請求項１１】
各事前記憶第１眼球視認漏出値が複数グレイレベルの１つに対応し、(i-1)番目調整第２眼球視認画像線分の画素がどのグレイレベルに合致するのか判定されると同時に、前記の合致グレイレベルに対応する事前記憶される第１眼球視認漏出値の集合がi番目第１眼球視認漏出値となるように決定される請求項７の方法。
【請求項１２】
各第１眼球視認漏出値のi番目集合が、i番目第１眼球視認画像線分の画素の１つに充当されると同時に、i番目第１眼球視認画像線分の充当画素および該充当画素線分に隣接する画素に重み付け分散されて分散第１眼球視認漏出値のi番目集合を発生させる請求項１１の方法。
【発明の詳細な説明】
【技術分野】
【０００１】
本発明は３Ｄ画像の調整向けの装置とその方法、特に正確な計算により表示パネルに正確な出力を発生させる調整装置とその方法に関する。
【背景技術】
【０００２】
左眼球と右眼球の位置が異なるため、左眼球と右眼球によって観察される画像はすこしだけ異なることになる。左眼球は左眼球が見える画像を捕捉すると同時に右眼球は右眼球が見える画像を捕捉する場合に、脳は騙されて三次元（３Ｄ）映像を発生させる。今日、三次元画像を伝達する方法は水平的あるいは垂直的な方法でそれぞれ両眼の画像を組合せることにある。そして、見る人の偏光めがねは左眼球がその対応する画像だけ捕捉可能であると同時に右眼球もその対応する画像だけを捕捉するよう設計され、これによって三次元画像が構成可能となる。
【０００３】
しかしながら、偏光めがねが３次元フィルムを見るのに用いられる場合、めがねには光漏出問題があるので、利用者はスクリーンの不均一な明度、組合せ画像およびゴーストシャドーのせいで心地悪く感じることが多い。この状況は利用者の３Ｄ画像の品質評価に影響する。この漏出現象は偏光めがねの設計技術の貧弱さにより発生する。これは左眼球に、ある程度の右眼球画像の捕捉を、また右眼球には、ある程度の左眼球画像の捕捉をさせることになる。
【０００４】
従って、本発明の主たる狙いは上記問題を解決する画像調整装置を提供することにある。
【発明の開示】
【０００５】
本発明の狙いは３Ｄ画像調整用の調整装置およびその方法を提供することである。
【０００６】
本発明のもう１つの狙いは調整装置及び正確な計算による表示パネル向けの正確な出力の発生方法を提供することである。
【０００７】
本発明による実施例では、調整装置は３Ｄ画像の調整とその表示パネルへの提供向けに利用される。３Ｄ画像はＮが１を越える整数である上で、Ｎ本の第１眼球視認画像線分とＮ本の第２眼球視認画像線分の組合せによって構成される。調整装置には調整モジュール、第１変換モジュール、第２変換モジュール、第１決定モジュール、第２決定モジュール、線分バッファー、および分散モジュールが含まれる。
【０００８】
「i」は２からＮまで変動する整数索引であると同時に「j」は１からＮまで変動する整数索引である。調整モジュールは、i番目第１眼球視認画像線分および (i-1)番目第２眼球視認画像線分に基いて生成される分散第１眼球視認漏出値のi番目集合を受取って、表示パネル用のi番目調整第１眼球視認画像線分を発生させ得る。調整モジュールはまた、j番目第２眼球視認画像線分と、j番目第１眼球視認画像線分に基づいて生成される分散第２眼球視認漏出値のj番目集合を受取り、表示パネル向けにj番目調整第２眼球視認画像線分を発生させ得る。
【０００９】
第１決定モジュールはj番目調整第１眼球視認画像線分を受取るよう構成される。さらに、第２決定モジュールは(i-1)調整第２眼球視認画像線分を受取るよう構成される。第１決定モジュールはj番目調整第１眼球視認画像線分と複数の事前記憶第２眼球視認漏出値に基づく第２眼球視認漏出値のj番目集合の決定用に利用される。
【００１０】
第２決定モジュールは(i-1)番目調整第２眼球視認画像線分と複数の事前記憶第１眼球視認漏出値による第１眼球視認漏出値のi番目集合の決定用に利用される。事前記憶漏出値は左眼球へ漏出された右眼球情報かあるいは右眼球に漏出された左眼球情報を示す。
【００１１】
さらに、大半の表示パネルにはガンマ特性があるので、本発明による調整装置にはさらにグレイレベルの線形変換段階が含まれる。この段階は第１変換モジュールおよび第２変換モジュールによって実行される。第１変換モジュールは調整モジュールと第１決定モジュールとの間で電気接続される上に、表示パネルにも電気接続される。第２変換モジュールに関しては、これは調整モジュールと第２決定モジュール間で電気接続される上にさらにこれは表示パネルにも電気接続される。
【００１２】
第１変換モジュールは調整モジュールによって出力されるj番目調整第１眼球視認画像線分の受取りおよび表示パネル特性に基づくj番目調整第１眼球視認画像線分のj番目変換第１眼球視認画像線分への変換用に利用され、この時、j番目変換第１眼球視認画像線分がj番目調整第１眼球視認画像線分と置き換わると同時に、表示パネルと第１決定モジュールに出力される。
【００１３】
そして、第２変換モジュールは、調整モジュールによって出力される(i-1)番目調整第２眼球視認画像線分の受取りと表示パネル特性に基づく(i-1)番目調整第２眼球視認画像線分の(i-1)番目変換第２眼球視認画像線分への変換用に利用され、この時、(i-1)番目変換第２眼球視認画像線分が(i-1)番目調整第２眼球視認画像線分に取って代わると同時に、表示パネルおよび第２決定モジュールに出力される。
【００１４】
線分バッファは第２眼球視認漏出値のj番目集合と第１眼球視認漏出値のi番目集合を交互に受取ると同時にバッファするよう構成される。分散モジュールはj番目第２眼球視認画像線分に関連する分散第２眼球視認漏出値のｊ番目集合を発生させるために線分バッファ中でバッファされる第２眼球視認漏出値のj番目集合を受取るよう構成される。分散モジュールはまたi番目第１眼球視認画像線分に関連する分散第１眼球視認漏出値のi番目集合を発生させるために線分バッファ中でバッファされる第１眼球視認漏出値のi番目集合も受取るように構成される。
【００１５】
言換えると、調整モジュールは一連の画像線分を受取る場合に、線分バッファに記憶される画像列の漏出値が分散モジュールによって重み付けされて分散されて、調整モジュールに分散漏出値を伝達する。その後、調整モジュールは受取り画像線分および分散漏出値に基づいて調整画像列を発生させる。そして、線分バッファに記憶される画像列の漏出値は調整画像線分の前の列に基づいて第１決定モジュールあるいは第２決定モジュールによって処理される。
【００１６】
例えば、調整モジュールが画像線分の第５列を受取る場合（この実施例では、画像線分の第５列は第３第１眼球視認画像）、分散モジュールは固定重み付け比を用いて線分バッファに記憶される漏出値の第５集合を再分散すると同時に、第５分散漏出値を調整モジュールに伝達する。調整モジュールはその後、受取られた画像線分の第５列ならびに調整画像線分の第５列を発生させる漏出値の第５集合に基づいて調整画像線分の第５列（すなわち、第３調整第１眼球視認画像）を発生させる。漏出値の第５集合は調整画像線分の第４列（すなわち、第２調整第２眼球視認画像）に基づいて第２決定モジュールによって処理されると同時に線分バッファに記憶される。
【００１７】
もう１つの例では、調整モジュールが画像線分の第８列（この実施例によると、画像線分の第８列は第４第１眼球視認画像である）を受取る場合、分散モジュールは固定重み付け比付きの線分バッファに記憶される漏出値の第８集合の再分配も行うと同時に調整モジュールに第８集合分散漏出値を伝達する。調整モジュールは、ついで、調整画像線分の第８列（すなわち、第４調整第２眼球視認画像）を発生させる受取り第８列画像線分および漏出値の第８集合に基づいて調整画像線分の第８列を発生させる。漏出値の第８集合は調整画像線分の第７列（すなわち、第４調整第１眼球視認画像）に基づいて第２決定モジュールによって処理されると同時に線分バッファに記憶される。
【００１８】
従って、調整モジュールが第１眼球視認画像線分のある列を受取る場合には、第１眼球視認画像線分に対応する漏出値の集合が、その後、調整第２眼球視認画像線分の前の列に基づいて第２決定モジュールによって処理される。調整モジュールが第２眼球視認画像線分のある列を受取る場合には、第２眼球視認画像線分に対応する漏出値の集合が調整第１眼球視認画像線分の前の列に基づいて第１決定モジュールによって処理される。
【００１９】
本発明による調整装置では、画像線分の第１列（すなわち、第１第１眼球視認画像線分）に前の調整画像線分がないため、画像線分の第１列は調整画像線分の第１列として出力される点に注意するべきである。同様にして、調整画像線分の最後の列（すなわち、最後の第２眼球視認画像線分）には処理される以降の画像線分の列は全くないので、調整画像線分の最後の列は第２決定モジュールによって処理が追加されることはない。
【００２０】
しかも、調整画像線分は原則として表示パネルに直接出力可能である。多くの表示パネルにはガンマ特性があるので、調整画像線分は、表示パネル、第１決定モジュール、および第２決定モジュールに出力されるまでにグレイ線形変換段階によってさらに処理されることが必要となり得る。すなわち、調整第１眼球視認画像線分は第１変換モジュールによって変換画像線分に変換されると同時に、調整第２眼球視認画像線分は第２変換モジュールによって変換画像線分に変換される。さらに、変換画像線分はその後、表示パネル、第１決定モジュール及び第２決定モジュールに伝達される。
【００２１】
まとめると、３Ｄ画像の画像線分の各列は調節され、変換され、そして表示パネルに出力されると同時に、画像線分の次の列の調整用の漏出値集合を発生させる決定モジュールによって処理可能である。すべての段階は３Ｄ画像処理が完全に処理されるまで繰り返して実行される。
【００２２】
上述のように、発明による調整装置は漏出値の分散によって画像の次列を調整すると同時に、表示パネル特性と調整して調節画像入力／出力を変換して漏出問題を解決するとともに画像を正確に示す。
【００２３】
本発明の利点と精神は以降の付録図面を一緒に用いた詳細説明によって理解され得る。
【発明を実施するための最良の形態】
【００２４】
図１を参照されたい。図１は本発明に基づく実施例の調整装置の関数ブロック図である。本実施例では、調整装置１は表示パネル３に出力される３Ｄ画像Ｓの調整用に利用される。３Ｄ画像は組合せられたＮ本の第１眼球視認画像線分とＮ本の第２眼球視認画像線分によって構成される。Ｎは１を越える整数である。調整装置１には調整モジュール１１、第１変換モジュール１２、第２変換モジュール１３、第１決定モジュール１４、第２決定モジュール１５、線分バッファ１６、および分散モジュール１７が含まれる。
【００２５】
さらに、調整装置１には２つのセレクター（１９および２０）および２個の左／右眼球デターミネータ（２１および２２）も含まれる。本実施例では、３Ｄ画像ＳはＲＧＢカラースペースに準拠すると同時に画像信号は０．４５に等しいガンマで示される。こうして、３Ｄ画像Ｓは調整モジュール１１に入力される前に、まずガンマ２．２コンバータ１８によって変換される。さらに、本実施例では、第１眼球は右眼球に対応すると同時に第２眼球は左眼球に対応する。
【００２６】
調整モジュール１１は、i番目第１眼球視認画像線分および分散第１眼球視認漏出値のi番目集合を受取りi番目調整第１眼球視認画像線分を発生させるよう構成される。調節モジュール１１はj番目第２眼球視認画像線分および分散第２眼球視認漏出値のj番目集合を受取り、j番目調整第２眼球視認画像線分を発生させることも可能である。ここでiは２からＮまで変動する整数索引であるとともに、jは１からＮまで変動する整数索引である。本実施例では、調整モジュール１１はi番目調整第１眼球視認画像線分を発生させるためにi番目第１眼球視認画像線分から分散第１眼球視認漏出値のi番目集合を差し引く。同様に、調整モジュール１１はj番目調整第２眼球視認画像線分を発生させるためにj番目第２眼球視認画像線分から分散第２眼球視認漏出値のj番目集合を差し引く。
【００２７】
すなわち、調整モジュール１１が一連の画像線分を受取る場合、線分バッファ１６に記憶される一連の画像の漏出値は、調整モジュール１１に分散漏出値を伝達するために重み付け分散方法を利用して分散モジュール１７によって獲得される。その後、調整モジュール１１は受取り画像線分および分散漏出値に基づいて調整画像線分の列を発生させる。
【００２８】
例えば、調整モジュール１１が画像線分の第５列を受取る場合（本実施例では、画像線分の列は第３第１眼球視認画像である）、分散モジュール１７は固定重み付け比を利用して線分バッファ１６に記憶される漏出値の第５集合を再分散するとともに、調整モジュール１１に第５分散漏出値を伝達する。その後、調整モジュール１１は受取り済の画像線分の第５列および調整画像線分（すなわち、第３調整第１眼球視認画像）の第５列を発生させる漏出値の第５集合に基づいて調整画像線分の第５列を発生させる。
【００２９】
例えば、調整モジュール１１が画像線分の第８列（本実施例では、画像線分の列は第４第１眼球視認画像である）を受取る場合、分散モジュール１７は固定重み付け比を利用して線分バッファ１６に記憶される漏出値の第８集合を再分散するとともに、調整モジュール１１に第８分散漏出値を伝達する。その後、調整モジュール１１は画像線分の第８列および調整画像線分の第８列（すなわち、第４調整第２眼球視認画像）を発生させる漏出値の受取り第８集合に基づいて調整画像線分の第８列を発生させる。ここでは、線分バッファ１６に記憶される画像の漏出値の列は、第１決定モジュール１４あるいは調整画像線分の前の列に基づいて第２決定モジュール１５によって処理される。詳細は後述される。
【００３０】
その上、調整モジュール１１によって調整画像線分を発生させる方法は、各受取り画像線分から漏出値の対応する集合を差し引くことであって、例えば、上述の例における漏出値の第５集合は画像線分の第５列から差し引かれる。すなわち、受取り画像線分には複数の画素が含まれ、各画素は漏出値に対応する。さらに、画像線分の各画素から対応する漏出値が調整モジュール１１によって差し引かれて調整画像線分になる。さらに、水平組合せ３Ｄ画像が本例では取上げられているが垂直組合せ３Ｄ画像でも適用可能である。ここでは詳細はこれ以上触れない。
【００３１】
第１変換モジュール１２および第２変換モジュール１３が調整モジュール１１とセレクター１９間で電気接続される。セレクター１９は第１決定モジュール１４、第２決定モジュール１５、および表示パネル３に電気接続される。セレクター１９は左／右眼球デターミネータ２１にも電気接続される。
【００３２】
第１変換モジュール１２は調整モジュール１１によって出力されるj番目調整第１眼球視認画像線分の受取り並びにj番目調整第１眼球視認画像線分の表示パネル３の特性に基づくj番目変換第１眼球視認画像線分への変換に利用される。同様に、第２変換画像１３は調整モジュール１１によって出力される(i-1)番目調整第２眼球視認画像線分の受取りならびに(i-1)番目調整第２眼球視認画像線分の表示パネル３の特性に基づく(i-1)番目変換第２眼球視認画像線分への変換に利用される。
【００３３】
j番目変換第１眼球視認画像線分はその後、表示パネル３および第１決定モジュール１４に出力される。さらに、(i-1)番目変換第２眼球視認画像線分が表示パネル３および第２決定モジュール１５に出力される。さらに、この実施例では、調整モジュール１１によって出力される信号は第１変換モジュール１２および第２変換モジュール１３に同時に伝達されると同時に、セレクター１９も第１変換モジュール１２および第２変換モジュール１３によって出力される画像信号を同時に受取るが、該セレクター１９はセレクター１９に連結される左／右眼球デターミネータ２１の信号に応じて表示パネル３、第１決定モジュール１４および第２決定モジュール１５に正確な画像信号を正確に出力する。
【００３４】
例えば、調整モジュール１１が、本発明により、調整画像線分の第５列（すなわち、第３調整第１眼球視認画像線分）を第１変換モジュール１２および第２変換モジュール１３に出力する場合には、本発明に合致する変換画像線分の第５列が第１変換モジュール１２によって発生させられる。しかし、本発明と合致しない画像信号もまた第２変換モジュール１３によって同時に発生してしまう。その後、上述の両画像信号はセレクター１９に伝達される。
【００３５】
左／右眼球デターミネータ２１の信号に応じて、セレクター１９は変換画像線分の第５列を選別して伝達すると同時に、第２変換モジュール１３によって伝達される画像信号を放棄する。逆に、調整モジュール１１が、本発明により、調整画像線分の第８列（すなわち、第４調整第２眼球視認画像線分）を第１変換モジュール１２におよび第２変換モジュール１３に出力する場合には、本発明に合致する変換画像線分の第８列が第２変換モジュール１３によって発生させられる。しかし、本発明に合致しない画像信号もまた第１変換モジュール１２によって同時に発生させられる。その後、上述の画像信号は両方ともセレクター１９に伝達される。左／右眼球デターミネータ２１の信号に応じて、セレクター１９は変換画像線分の第８列を選別して伝達すると同時に、第１変換モジュール１２によって伝達される画像信号を放棄する。
【００３６】
本実施例では、グレイレベル明度変換曲線は表示パネル３の特性に基づいて作成されると同時に、グレイレベル線形変換テーブルがグレイレベル変換曲線に基づいて作成される。図２Ａおよび図２Ｂを参照すると、図２Ａは好ましい本実施例に基づくグレイレベル明度変換曲線を示す。さらに図２Ｂは好ましい本実施例に基づくグレイレベル線形変換テーブルを示す。
【００３７】
グレイレベル明度変換曲線には左眼球グレイレベル明度変換曲線ならびに右眼球グレイレベル明度変換曲線が含まれる。図２Ａに示されるように、表示パネル３の左眼球および右眼球レベルは偏光めがねおよび対応する偏光パネルモジュールによる測定具によって測定される。測定方法は、左眼球画像情報のみがまず右眼球画像情報の遮断によって残されると同時に、その後、対応する明度が左眼球グレイレベル明度変換曲線を作成する左眼球偏光めがねによって測定されるものである。
【００３８】
同様に、右眼球画像情報は左眼球画像情報の遮断によって残されるとともに、その後、対応する明度は右眼球グレイレベル明度変換曲線を作成する右眼球偏光めがねによって測定される。さらに、図２Ｂで示されるように、より小さい左眼球および右眼球明度値（グレイレベルは２５５である）は、グレイレベル明度変換曲線に基づく左眼球および右眼球の明度最大値として設定されると同時に、グレイレベル線形値変換テーブルが左眼球および右眼球の明度最大値に基づいて作成される。グレイレベル線形変換テーブルには左眼球レベル線形変換テーブルおよび右眼球グレイレベル線形変換テーブルが含まれる。
【００３９】
さらに、図２Ｃを参照すると、グレイレベルの線形変換テーブルの生成概念が示される。図２Ｃに示されるように、出力グレイレベルは３５であると同時に、変換出力はグレイレベル線形変換テーブルおよびそのグレイレベル３２を調べることによって判明し得る。該変換出力値はパネルに入力されると同時に最終出力値は３５となる。従って、当初の出力値はパネル特性に基づく。つまり、パネル特性が関数によって記述される場合には、グレイレベル線形変換テーブルは関数の逆関数となろう。このように、出力はグレイレベル線形変換によって正確に出力可能である。図２Ｂのグレイレベル線形変換テーブルはこの考え方に基づき作成される。
【００４０】
こうして、調整モジュール１１によって伝達される調整画像線分は図２Ｂの右眼球グレイレベル線形変換テーブルに基づく第１変換モジュール１２によって変換画像線分に変換される。同様にして、調整モジュール１１によって伝達される調整画像線分は、図２Ｂの左眼球グレイレベル線形変換テーブルに基づく第２変換モジュール１３によって変換画像線分に変換される。尚、第１変換モジュール１２および第２変換モジュール１３による出力問題は上で言及されているのでここではこれ以上説明しない。
【００４１】
本実施例では、第１決定モジュール１４および第２決定モジュール１５はセレクター１９およびセレクター２０にそれぞれ電気接続される。第１決定モジュール１４はj番目調整第１眼球視認画像線分を受取るよう構成される。そして、第２決定モジュール１５は(i-1)番目調整第２眼球視認画像線分を受取るよう構成される。
【００４２】
第１決定モジュール１４はj番目調整第１眼球視認画像線分および複数の事前記憶第２眼球視認漏出値に基づく第２眼球視認漏出値のj番目集合の決定用に利用される。さらに、第２決定モジュール１５は(i-1)番目調整第２眼球視認画像線分および複数の事前記憶第１視認漏出値に応じた第１眼球視認漏出値のi番目集合の決定に利用される。
【００４３】
すなわち、第１決定モジュール１４は変換第１眼球視認画像線分のある列を受取るとともに、その後、事前記憶第２眼球視認漏出値に基づいて第２眼球視認漏出値の次の列を決定する。さらに、第２決定モジュール１５はある列の変換第２眼球視認画像線分を受取ると同時に、その後、事前記憶第１眼球視認漏出値に基づいて第１眼球視認漏出値の次の列を決定する。
【００４４】
例えば、第１決定モジュール１４は変換画像線分の第７列（すなわち、第４変換第１眼球視認画像線分）を受取った後、事前記憶第２眼球視認漏出値に基づいて第２眼球視認漏出値の第８列（すなわち、第３変換第２眼球視認線分）を決定する。例えば、第２決定モジュール１５は変換画像線分の第６列（すなわち、第３変換第２眼球視認画像線分）を受取ってから、事前記憶第１眼球視認漏出値に基づいて第１眼球視認漏出値の第７列（すなわち、第４変換第１眼球視認画像線分）を決定する。ここで、事前記憶漏出値は左眼球情報によって受取られる右眼球情報あるいは右眼球によって受取られる左眼球情報を示す。つまり、左眼球情報は右眼球に漏出されるかまたは右眼球情報が左眼球に漏出される。測定方法の詳細はここでは説明されない。
【００４５】
さらに、決定モジュール１４および第２決定モジュール１５はセレクター１９によって伝達された画像信号を同時に受入れてそれぞれ１つの漏出値集合を決定するとともに、これらをセレクター２０にそれぞれ伝達する一方、セレクター２０は１つの漏出値集合の線分バッファ１６への正確な伝達も可能であって、これらを左／右眼球デターミネータ２２の信号に基づく線分バッファ１６に記憶する。上述のセレクター１９と同様に、セレクター２０は１つの漏出値集合を選抜して線分バッファ１６に伝達すると同時に、これらを左／右眼球デターミネータ２２の信号に基づく線分バッファ１６に記憶すると同時にもう１つの漏出値集合を放棄する。本実施例では、各事前記憶第２眼球視認漏出値は複数のグレイレベルのうちの１つに対応する。
【００４６】
第１決定モジュール１４はどのグレイレベルが第１眼球視認画像線分のj番目変換画素と合致するかを判定すると同時に、j番目第２眼球視認漏出値として合致グレイレベルに対応する事前記憶第２眼球視認漏出値の集合を決定する。そして、各事前記憶第１眼球視認漏出値は複数のグレイレベルのうちの１つに対応する。さらに、第２決定モジュール１５はそのグレイレベルが第２眼球視認画像線分の(i-1)番目変換画素に合致するかを判定してから、第１眼球視認漏出値のi番目集合として合致グレイレベルと対応する事前記憶第１眼球視認漏出値の集合を決定する。
【００４７】
すなわち、第１決定モジュール１４は受取り済変換第１眼球視認画像線分の、ある列とそれぞれ合致する各画素のグレイレベルを探す。その後、該グレイレベルに対応する第２眼球視認漏出値が次列の集合を構成するよう決定される。同様にして、第２決定モジュール１５は、受取り済変換第２眼球視認画像線分の、ある列と合致した各合致画素のグレイレベルをそれぞれ探す。次に、グレイレベルに対応する第１眼球視認漏出値が第１眼球漏出値の次列集合を構成するように決定される。
【００４８】
本実施例では、事前記憶第２眼球視認漏出値および事前記憶第１眼球視認漏出値は、左眼球グレイレベル漏出明度変換曲線並びに右眼球グレイレベル漏出明度変換曲線によって図３Ａに示されるようにそれぞれ示され得る。
【００４９】
図３Ａおよび図３Ｂを参照されたい。図３Ａはグレイレベル漏出明度変換曲線を示すと同時に、図３Ｂはグレイレベル漏出グレイレベル変換曲線を示す。偏光めがねと合致偏光パネルモジュールを用いて、図３Ａにしめされるように、表示パネル３の左／右眼球グレイレベル漏出明度変換曲線が測定具によって測定される。
【００５０】
測定方法は左眼球画像情報だけが右眼球画像情報の遮断によって残されてから、対応する明度が右眼球明度変換曲線を作成する右眼球偏光めがねによって測定されるというものである。同様にして、右眼球画像情報だけが左眼球画像情報の遮断によって残されてから、対応する明度が左眼球グレイレベル明度変換曲線を作成する左眼球偏光めがねによって測定される。
【００５１】
そして、図２Ｂに示されるように、最大明度値が単一グレイレベル明度値としての２５５によって割算される。その後、左眼球漏出明度は図３Ｂに示されるように左眼球グレイレベル漏出グレイレベル変換曲線を発生させるために左眼球グレイレベルとして単一グレイレベル明度によって割算される。同様にして、右眼球漏出明度は、図３Ｂに示されるように、右眼球グレイレベル漏出グレイレベル変換曲線を発生させるために右眼球漏出グレイレベルとして単一グレイレベル明度によって割算される。さらに、パネル自身にバックグラウンド明度のため明らかな漏出がある場合には、単一グレイレベル明度と漏出グレイレベルを計算する際に引算されなくてはならない。
【００５２】
こうして、左眼球漏出グレイレベルと右眼球漏出グレイレベルはそれぞれ事前記憶第２眼球視認値ならびに事前記憶第１眼球視認漏出値となる。すなわち、第１決定モジュール１４はどのグレイレベルが変換第１眼球視認画像線分（すなわち、右眼球視認画像線分）の画素と合致するかを判定する。そして、図３Ｂの左眼球グレイレベル漏出グレイレベル変換曲線により、合致グレイレベルに対応する左眼球漏出グレイレベルの集合が第２眼球視認漏出値として決定される。
【００５３】
同様に、第２決定モジュール１５は変換第２眼球視認画像線分（すなわち、左眼球視認画像線分）の画素が合致するグレイレベルを判定する。そして、図３Ｂの右眼球グレイレベル漏出レベル変換曲線により、合致グレイレベルに対応する右眼球漏出グレイレベルの集合が第１眼球視認漏出値として決定される。
【００５４】
本実施例では、線分バッファ１６がセレクター２０に電気接続される。線分バッファ１６は第２眼球視認漏出値のj番目集合ならびに第１眼球視認漏出値のi番目集合を交互に受取ると同時にバッファするよう構成される。そして、分散モジュール１７は、線分バッファ１６にバッファされた第２眼球視認漏出値のj番目集合を受取り、j番目第２眼球視認画像に関連した分散第２眼球視認漏出値のj番目集合を発生させるか、あるいは、線分バッファ１６でバッファされた第１眼球視認漏出値のi番目集合を受取り、i番目第１眼球視認画像線分に関連する分散第１眼球視認漏出値のi番目集合を発生させるよう構成される。
【００５５】
すなわち、線分バッファ１６に記憶される漏出値集合は、分散モジュール１７によって分散漏出値の集合となるよう重み付けされて分散される。第１眼球視認漏出値あるいは第２眼球漏出値が線分バッファ１６に記憶されるかどうかは上述の通りセレクター２０によって決定される。
【００５６】
j番目集合の各第２眼球視認漏出値はj番目第２眼球視認画像線分の画素の１つを指し示すと同時に、分散第２眼球視認漏出値のj番目集合を発生させるために指し示されるべき画素およびそのj番目第２眼球視認画像線分の隣接画素に重み付けされて分散される。同様にして、i番目集合の各第１眼球視認漏出値はi番目第１眼球視認画像線分の画素の１つを指し示すと同時に、分散第１眼球視認漏出値のi番目集合を発生させるために指示されるべき画素およびそのi番目第１眼球視認画像線分の隣接画素に重み付けして分散される。
【００５７】
分散第１眼球視認漏出値および分散第２眼球視認漏出値は調整モジュール１１に入力される。例えば、線分バッファ１６が第１眼球視認漏出値の集合を記憶する場合には、各漏出値は１つの画素に対応する。重み付け分散の方法は各漏出値が対応する画素とその隣接画素に重み付けされて分散されるというものである。そして、分散漏出値の集合はすべての画素の分散漏出値の足し算によって形成され、つまりは、これが分散第１眼球視認漏出値のひとつの集合となる。
【００５８】
例えば、３８番目漏出値が３８番目の画素に対応する場合には、漏出値は３８番目画素、３７番目隣接画素ならびに３９番目画素に重み付けして分散される。重み付けは追加設定が可能である。上の例で示されるように、３８番目画素は漏出値の半分の分散値を得るとともに、３７番目画素および３９番目画素は漏出値の４分の一の分散値をそれぞれ得る。このように、３７番目画素は３６番目、３７番目、および３８番目漏出値によって分散される漏出値をそれぞれ有する。分散漏出値集合の３７番目漏出値はこれらの足し算することによって獲得される
【００５９】
分散モジュール１７によって獲得される漏出値集合は画像線分の次列を調整する調整モジュール１１に伝達される。このルーチンは３Ｄ画像が繰り返されて完全に調整される。
【００６０】
以降は調整装置１の操作を説明する適用例である。図１ならびに図４Ａを参照されたい。図４Ａは好ましい実施例の本適用例の全体模式図を示す。図４Ａには、ガンマ２．２変換後の画像線分の画素に対応する３Ｄ画像Ｓのグレイレベルが示されている。全体模式図には適用製例を単純かつ明快に表すよう６＊（４グレイレベルだけが含まれる。そして、６＊（４グレイレベルは右眼球情報と左眼球情報による組み合わせで構成される。入力グレイレベルの第１列には前の入力列はなく（すなわち、分散漏出値はない）、入力グレイレベルは調整モジュール１１を通じて第１変換モジュール１２に直接伝達される。図２Ｂに示される右眼球グレイレベル線形変換テーブルにより、第１変換モジュール１２が図４Ｂに示されるように変換グレイレベルを判定する。
【００６１】
その後、変換グレイレベルは表示パネル３および第１決定モジュール１４に出力される。図３Ｂに示される左眼球のグレイレベル漏出変換教曲線により、第１決定モジュール１４は図４Ｃに示される左眼球漏出値をそれぞれ判定する。そして、決定漏出グレイレベルは線分バッファ１６に伝達されると同時にそこに記憶される。説明を単純にするために、図４Ｃに示される数字は丸められている。分散左眼球漏出値が必要とされる場合には、分散モジュール１７は線分バッファ１６に記憶される漏出グレイレベルを受取ると同時に、漏出グレイレベルが分散左眼球漏出値を発生させる重み付け分散方法で計算される。次いで、重み付け分散法が採用されて、図４Ｄに示されるように、それぞれ１／２および１／４の重み付け値による対応位置及び隣接位置の漏出グレイレベルが足し算される。図４Ｅに示されるように、分散左眼球漏出値は次の通りである。
[0*(1/4)+6*(1/2)+ 7*(1/4))=4.75
[6*(1/4)+7*(1/2)+ 7*(1/4))=6.75
[7*(1/4)+7*(1/2)+ 7*(1/4))=7、ならびに
[7*(1/4)+7*(1/2)+ 0*(1/4))=5.2
【００６２】
第１位置には隣接位置が１つしかないので、第１位置の片側だけが重み付けされる。同様に、第４位置の片側だけが重み付けされる。しかしながら、実際の適用においては、特別な位置の重み付けが別の方法で決定可能であってこの場合だけに限定されない。
【００６３】
その後、図４Ａの左眼球入力グレイレベルの第２列が調整モジュール１１に出力されると同時に、分散左眼球漏出値は調整モジュール１１による入力グレイレベルから引算される。次いでこの計算結果が第２変換モジュール１３に伝達される。こうして、計算結果は次のように示される。
111-4.75=106
112-6.75=105
113-7=106、および
115-5.2=110
【００６４】
上述の式の計算結果は丸められている。尚、当初計算結果の下一桁部分は整数であるように追加の足し算を行うことにより分散される出力が可能である。しかし、この種の計算はこの場合には処理されない。
【００６５】
図２Ｂに示される左眼球のグレイレベル線形変換曲線により、図４Ｆに示されるように第２決定モジュール１３が変換グレイレベルをそれぞれ判定する。図４Ｆは図４Ｂの更新された形態である。その後、変換グレイレベルは表示パネル３および第２決定モジュール１５に出力される。右眼球のグレイレベル漏出変換曲線により、図４Ｇに示されるように第２決定モジュール１５はそれぞれの右眼球漏出グレイレベルを判定する。そして、決定漏出グレイレベルが線分バッファ１６に伝達されると同時にそこに記憶される。図４Ｇは図４Ｃの更新された形態である。同様にして、図４Ｇに示される数字は丸められている。分散右眼球漏出値が必要とされる場合、分散モジュール１７が線分バッファ１６に記憶される漏出グレイレベルを受取ると同時に、漏出グレイレベルが分散右眼球漏出値となるように重み付け分散方法で計算される。図４Ｈで示されるように、分散右眼球漏出値は次のように示される。
[0*(1/4)+7*(1/2)+ 7*(1/4))=5.2
[7*(1/4)+7*(1/2)+ 7*(1/4))=7
[7*(1/4)+7*(1/2)+ 7*(1/4))=7、ならびに
[7*(1/4)+7*(1/2)+ 0*(1/4))=5.2
【００６６】
図４Ｈは図４Ｅの更新された形態である。ついで、図４Ａの右眼球入力グレイレベルの第３列が調整モジュール１１に入力される。分散右眼球漏出値は調整モジュール１１によって入力グレイレベルから引算される。図２Ｂで示される右眼球グレイレベル線形変換テーブルにより、変換グレイレベルが第１変換モジュール１２によって判定される。その後、変換グレイレベルが表示パネル３ならびに第１決定モジュール１４に出力される。
【００６７】
図３Ｂに示される左眼球のグレイレベル漏出変換曲線により、第１決定グレイモジュール１４は左眼球漏出グレイレベルを判定する。そして、決定導出グレイレベルは線分バッファ１６に伝達されると同時にそこに記憶される。最後に、分散モジュール１７は漏出グレイレベルを受取ると同時に線分バッファ１６に記憶されるとともに、漏出グレイレベルが分散左眼球漏出値を発生させる重み付け分散方法で計算される。
【００６８】
調整、変換、決定ならびに分散が繰り返えされた後に、３Ｄ画像Ｓの情報の各列が処理されると同時に表示パネル３に出力される。画像Ｓの３Ｄ情報の最後の列には分散される情報の次列の漏出がないので、漏出値はその決定を要しない点は注目されなくてはならない。どのようなことがあっても、３Ｄ画像Ｓが処理された後、次の３Ｄ画像は前例同様に処理可能である。
【００６９】
図５を参照されたい。図５は本発明に基づく調整方法のフロー図である。本方法は３Ｄ画像の調整ならびにその表示パネルへの出力に利用される。３Ｄ画像はＮ本の第１眼球視認画像線分とＮ本の第２眼球視認画像線分の組合せによって構成される。Ｎは１を越える整数である。本方法には以下の段階が含まれる。まず、i番目の第１眼球視認画像線分および分散第１眼球視認漏出値のi番目集合が、段階Ｓ１０２に示されるように、受取られてi番目の調整第１眼球視認画像線分を発生させる。分散第１眼球視認漏出値のi番目の集合は(i-1)番目の第２眼球視認画像線分により発生させられる。あるいは、段階Ｓ１０４で示されるようにj番目の第２眼球視認画像線分と分散第２眼球視認漏出値のj番目の集合が受取られて、j番目調整第２眼球視認画像線分を表示パネルに発生させる。分散第２眼球視認漏出値のｊ番目集合はj番目第１眼球視認画像線分により発生させられる。ここでiは２からＮまで変動する整数索引であると同時にjは１からＮまで変動する整数索引である。
【００７０】
段階Ｓ１０２の後、段階Ｓ１０６で示されるように、j番目調整第１眼球視認画像線分が受取られると同時に、表示パネル特性に基づいてj番目変換第１眼球視認画像線分に変換され、表示パネルに伝達される。あるいは、段階Ｓ１０４の後、(i-1)番目調整第２眼球視認画像線分が受取られると同時に、表示パネル特性に基づいて(i-1)番目変換第２眼球視認画像線分に変換され、段階Ｓ１０８で示されるように表示パネルに伝達される。
【００７１】
段階Ｓ１０６後、j番目調整第１眼球視認画像線分は、段階Ｓ１１０で示されるように、j番目の調整第１眼球視認画像線分と複数の事前記憶第２眼球視認漏出値に基づく第２眼球視認漏出値のj番目集合の決定のため受取られる。各事前記憶第２眼球視認漏出値は複数のグレイレベルの１つに対応し、ｊ番目調整第１眼球視認画像線分の画素はどのグレイレベルがそれと合致するかが判定された後、合致グレイレベルに対応する複数の事前記憶第２眼球視認漏出値の集合が第２眼球視認漏出値のｊ番目集合として決定される。
【００７２】
その後、段階Ｓ１１４に示されるように、第２眼球視認漏出値のｊ番目集合が受取られ、ｊ番目第２眼球視認画像線分に関連する分散第２眼球視認漏出値のｊ番目集合を発生させるが、ここではj番目集合の第２眼球視認漏出値のそれぞれがｊ番目第２眼球視認画像線分の画素の１つに対応するとともに、重み付け分散方法でｊ番目第２眼球視認画像線分の対応する画素ならびに画素の隣接画素に割り当てられて、分散第２眼球視認漏出値のｊ番目集合を発生させるように仕向けられる。
【００７３】
段階Ｓ１０８の後、段階Ｓ１１２に示されるように、 (i-1)番目調整第２眼球視認画像線分が受取られて、(i-1)番面調整第２眼球視認画像線分ならびに複数の事前記憶第１眼球視認漏出値に基づく第１眼球視認漏出値のi番目集合を決定するが、ここでは各事前記憶第１眼球視認漏出値が複数のグレイレベルの１つに対応し、(i-1)番目調整第２眼球視認画像線分の画素がどのグレイレベルに合致するかが判定される。合致グレイレベルに対応する事前記憶第１眼球視認漏出値の集合が第１眼球視認漏出値のi番目集合として決定される。
【００７４】
その後、段階Ｓ１１６に示されるように、第１眼球視認漏出値のi番目集合が受取られ、i番目第１眼球視認画像線分に関連する分散第１眼球視認漏出値のi番目集合を発生させるが、ここではi番目集合第１眼球視認漏出値のそれぞれがi番目第１眼球視認画像線分の画素の１つに対応すると同時に、i番面第１眼球視認画像線分の対応画素ならびに該対応画素の隣接画素に重み付け分散されてi番目分散第１眼球視認漏出値を発生させる。
【００７５】
３Ｄ画像は前のフロー図に示されるようにＮ本の第１眼球視認画像線分とＮ本の第２眼球視認画像線分から構成され、組合せて処理される点が参考に値する。つまり、ある画像線分がまず処理されてから次の画像線分が処理される。３Ｄ画像の処理はすべての画像線分が完了した後に完了する。第１第１眼球視認画像線分には前画像線分によって発生させられる分散漏出値はないので、段階Ｓ１０６の場合、第１第１眼球視認画像線分は直接実行される。そして、最後の第２眼球視認画像線分にはその漏出値を分散する次の画像線分がないので、その後に続く段階Ｓ１１２とＳ１１６は実行不要である。
【００７６】
先行技術に比べて、本発明に基づく本調整装置およびその方法は漏出分散値の更新計算によって漏出問題を解決すると同時に、調整画像入力が表示パネル特性に基づいて変換されるので、画像が正確に表示パネル上に表示可能となる。パネルのガンマ特性が１であるかあるいはパネルによって生ずる偏差が無視されるほど十分小さく無い場合には、上述の変換モジュールおよび変換段階は無視されるがそれでもこれには画像表示の改善効果がある。
【００７７】
上記例と説明について、本発明の特色と精神が意を尽くし十分に説明された。専門家であれば本装置に関する数多くの修正や変更が、本発明に関する教唆を保持したまま為され得る点を容易に認めよう。従って、上述の公開内容は付録の請求項の範囲と限界によってのみ制約されるものと解釈されなくてはならない。
【図面の簡単な説明】
【００７８】
【図１】本発明に基づく好ましい実施例の調整装置の機能区分図を示す。
【図２Ａ】本発明に基づく好ましい実施例のグレイレベル明度変換曲線を示す。
【図２Ｂ】本発明に基づく好ましい実施例のグレイレベル線形性変換テーブルを示す。
【図２Ｃ】グレイレベル線形性変換テーブルの概念を示す。
【図３Ａ】グレイレベル漏出明度変換曲線を示す。
【図３Ｂ】グレイレベル漏出グレイレベル変換曲線を示す。
【図４Ａ】本発明に基づく好ましい実施例の適用例の模式図を示す。
【図４Ｂ】本発明に基づく好ましい実施例の適用例の模式図を示す。
【図４Ｃ】本発明に基づく好ましい実施例の適用例の模式図を示す。
【図４Ｄ】本発明に基づく好ましい実施例の適用例の模式図を示す。
【図４Ｅ】本発明に基づく好ましい実施例の適用例の模式図を示す。
【図４Ｆ】本発明に基づく好ましい実施例の適用例の模式図を示す。
【図４Ｇ】本発明に基づく好ましい実施例の適用例の模式図を示す。
【図４Ｈ】本発明に基づく好ましい実施例の適用例の模式図を示す。
【図５】本発明に基づく調整方法のフロー図を示す。
【図１】
2008123504.tif 000003
【図２Ａ】
2008123504.tif 000004
【図２Ｂ】
2008123504.tif 000005
【図２Ｃ】
2008123504.tif 000006
【図３Ａ】
2008123504.tif 000007
【図３Ｂ】
2008123504.tif 000008
【図４Ａ】
2008123504.tif 000009
【図４Ｂ】
2008123504.tif 000010
【図４Ｃ】
2008123504.tif 000011
【図４Ｄ】
2008123504.tif 000012
【図４Ｅ】
2008123504.tif 000013
【図４Ｆ】
2008123504.tif 000014
【図４Ｇ】
2008123504.tif 000015
【図４Ｈ】
2008123504.tif 000016
【図５】
2008123504.tif 000017